(57)【要約】【課題】  再生装置にある多数の設定項目を設定する操作をしなくても、再生装置を設置する部屋に応じて最適な視聴環境にする設定を容易にすることができる再生装置および再生システムを提供する。【解決手段】  親機から再生装置が設置された場所を示す設置情報を取得する取得手段と、取得された設置情報に対応するビデオ出力設定情報及びオーディオ出力設定情報を記憶手段から読み出し、当該ビデオ出力設定情報に基づいてビデオ信号を出力する制御をし、当該オーディオ出力設定情報に基づいてオーディオ信号を出力する制御をする制御手段とを備える。【選択図】  図１
2008299921.tif 000002
【特許請求の範囲】
【請求項１】
記録媒体に記録されたオーディオ信号およびビデオ信号を再生する再生装置において、
親機から当該再生装置が設置された場所を示す設置情報を取得する取得手段と、
当該再生装置が設置された場所に応じたビデオ信号の出力設定を示すビデオ出力設定情報およびオーディオ信号の出力設定を示すオーディオ出力設定情報を記憶する記憶手段と、
前記取得手段により取得された設置情報に対応するビデオ出力設定情報およびオーディオ出力設定情報を前記記憶手段から読み出し、当該ビデオ出力設定情報に基づいてビデオ信号を出力する制御をし、当該オーディオ出力設定情報に基づいてオーディオ信号を出力する制御をする制御手段とを備えること特徴とする再生装置。
【請求項２】
請求項１に記載の再生装置において、
前記取得手段は、親機から無線通信により設置情報を取得することを特徴とする再生装置。
【請求項３】
親機と当該親機と接続する再生装置からなる再生システムにおいて、
前記親機は、
前記再生装置が設置された場所を指定する指定手段と、
前記指定手段により指定された前記再生装置の設置場所を示す設置情報を送信する送信手段とを備え、
前記再生装置は、
前記親機から送信された設置情報を取得する取得手段と、
当該再生装置が設置された場所に応じたビデオ信号の出力設定を示すビデオ出力設定情報およびオーディオ信号の出力設定を示すオーディオ出力設定情報を記憶する記憶手段と、
前記取得手段により取得された設置情報に対応するビデオ出力設定情報およびオーディオ出力設定情報を前記記憶手段から読み出し、当該ビデオ出力設定情報に基づいてビデオ信号を出力する制御をし、当該オーディオ出力設定情報に基づいてオーディオ信号を出力する制御をする制御手段とを備えること特徴とする再生システム。
【請求項４】
請求項３に記載の再生システムにおいて、
親機から再生装置へ無線通信により設置情報を送信することを特徴とする再生システム。
【発明の詳細な説明】
【技術分野】
【０００１】
本発明は、記録媒体に記録されたオーディオ信号とビデオ信号を再生する再生装置および再生システムに関する。
【背景技術】
【０００２】
ＤＶＤ（Digital Versatile Disc）に記録されたオーディオ信号およびビデオ信号を視聴する場合、ユーザは、ＤＶＤプレーヤが設置されている環境に応じてＤＶＤから再生したオーディオ信号の出力手段およびビデオ信号の出力手段を予め設定しておく必要がある。ユーザは、オーディオ信号の出力手段を設定するとき、例えば、ＤＶＤプレーヤに接続されたスピーカが左チャンネル及び右チャンネルのスピーカシステムである場合、オーディオ信号の出力チャンネルを２チャンネルに設定する必要がある。または、ＤＶＤプレーヤに接続されたスピーカが５．１チャンネルのスピーカシステムである場合、オーディオ信号の出力チャンネルを５．１チャンネルに設定する必要がある。
【０００３】
また、ユーザは、ＤＶＤプレーヤと接続したディスプレイに備えられた入力端子の種類に応じて、ビデオ信号の出力手段を設定する必要がある。例えば、ＤＶＤプレーヤをディスプレイに備えられたビデオ入力端子に接続する場合は、ＤＶＤプレーヤのビデオ出力手段としてインターレース出力手段を設定する。また、ＤＶＤプレーヤをディスプレイに備えられたコンポーネント入力端子に接続する場合は、ＤＶＤプレーヤのビデオ出力手段としてプログレッシブ出力手段を設定し、ＤＶＤプレーヤをディスプレイに備えられたデジタル入力端子に接続する場合は、ＤＶＤプレーヤのビデオ出力手段としてデジタル出力手段を設定する。
【０００４】
従来のＤＶＤプレーヤでは、インターレース方式のビデオ信号及びプログレッシブ方式のビデオ信号をインターレース出力手段とプログレッシブ出力手段から同時に出力することが可能である。しかしながら、プログレッシブ出力手段とデジタル出力手段から同時にビデオ信号を出力する場合、デジタル出力手段から出力するデジタルビデオ信号がプログレッシブ出力手段から出力するプログレッシブ方式のビデオ信号より解像度が高いため、各出力手段が独立した信号処理回路を備える必要があり、製造コストが高くなる。このため、従来のＤＶＤプレーヤでは、ビデオ信号を出力する手段として、プログレッシブ出力手段またはデジタル出力手段の一方をユーザが選択する構成となっている。
【０００５】
また、プログレッシブ出力手段では、ビデオ信号をインターレース方式からプログレッシブ方式に変換する信号処理に時間を要するため、ＤＶＤプレーヤから出力されるビデオ信号と当該ビデオ信号に同期したオーディオ信号との間にずれが生じる。このため、従来のＤＶＤプレーヤには、ユーザによりオーディオ信号の出力タイミングをインターレース方式のビデオ信号の出力タイミング、プログレッシブ方式のビデオ信号の出力タイミングまたはデジタルビデオ信号の出力タイミングに合わせる設定をする機能を有するものがある。
【０００６】
このように、オーディオ信号やビデオ信号の再生に関する設定項目が多数あるため、従来のＤＶＤプレーヤには、これらの設定項目を階層化してディスプレイに表示させ、ユーザが表示内容を確認しながら各設定項目の設定をすることができるものがある（例えば、特許文献１参照）。
【０００７】
【特許文献１】特開２００４−１６５７２５号公報
【発明の開示】
【発明が解決しようとする課題】
【０００８】
特許文献１に開示されているように、設定項目を階層化してディスプレイに表示することにより、ユーザは、設定項目の確認や変更をする操作をすることができる。しかしながら、ＤＶＤプレーヤには多数の設定項目があるため、ＤＶＤプレーヤを使い始めたばかりのユーザにとっては、各々の設定項目をどのように設定すればよいか分かりづらい。また、家庭内において、ＤＶＤプレーヤを設置する部屋に応じて最適な視聴環境にするために、ユーザは、設定してある設定項目を設置した場所に応じて変更する必要がある。
【０００９】
本発明は、上記の課題を解決するためになされたものであり、再生装置にある多数の設定項目を設定する操作をしなくても、再生装置を設置する部屋に応じて最適な視聴環境にする設定を容易にすることができる再生装置および再生システムを提供することを特徴とする。
【課題を解決するための手段】
【００１０】
上記の課題を解決するために、本発明における再生装置は、記録媒体に記録されたオーディオ信号およびビデオ信号を再生する再生装置において、親機から当該再生装置が設置された場所を示す設置情報を取得する取得手段と、当該再生装置が設置された場所に応じたビデオ信号の出力設定を示すビデオ出力設定情報およびオーディオ信号の出力設定を示すオーディオ出力設定情報を記憶する記憶手段と、前記取得手段により取得された設置情報に対応するビデオ出力設定情報およびオーディオ出力設定情報を前記記憶手段から読み出し、当該ビデオ出力設定情報に基づいてビデオ信号を出力する制御をし、当該オーディオ出力設定情報に基づいてオーディオ信号を出力する制御をする制御手段とを備えること特徴とする。
【００１１】
上記の再生装置において、前記取得手段は、親機から無線通信により設置情報を取得することを特徴とする。
【００１２】
また、本発明における再生システムは、親機と当該親機と接続する再生装置からなる再生システムにおいて、前記親機は、前記再生装置が設置された場所を指定する指定手段と、前記指定手段により指定された前記再生装置の設置場所を示す設置情報を送信する送信手段とを備え、前記再生装置は、前記親機から送信された設置情報を取得する取得手段と、当該再生装置が設置された場所に応じたビデオ信号の出力設定を示すビデオ出力設定情報およびオーディオ信号の出力設定を示すオーディオ出力設定情報を記憶する記憶手段と、前記取得手段により取得された設置情報に対応するビデオ出力設定情報およびオーディオ出力設定情報を前記記憶手段から読み出し、当該ビデオ出力設定情報に基づいてビデオ信号を出力する制御をし、当該オーディオ出力設定情報に基づいてオーディオ信号を出力する制御をする制御手段とを備えること特徴とする。
【００１３】
上記の再生システムは、親機から再生装置へ無線通信により設置情報を送信することを特徴とする。
【発明の効果】
【００１４】
本発明によれば、再生装置にある多数の設定項目を設定する操作をしなくても、再生装置を設置する部屋に応じて最適な視聴環境にする設定を容易にすることができる再生装置および再生システムを提供することができる。
【発明を実施するための最良の形態】
【００１５】
以下、本発明の実施の形態を図面を参照して説明する。
図１は、本発明の一実施例である再生装置の構成を示すブロック図である。図１に示す本実施例の再生装置は、ＤＶＤプレーヤの構成を示すブロック図であり、ターンテーブル１、スピンドルモータ２、サーボ制御部３、光ピックアップ４、再生アンプ５、信号分離部６、オーディオ信号処理部７、デジタル出力部８、マルチチャンネル（ｃｈ）出力部９、２チャンネル（ｃｈ）出力部１０、オーディオ切替部１１、ビデオ信号処理部１２、変換部１３、インターレース出力部１４、デジタル出力部１５、プログレッシブ出力部１６、ビデオ切替部１７、制御部１８、取得部１９、記憶部２０、デジタル出力端子２１、アナログ出力端子２２、デジタル出力端子２３、コンポーネント出力端子２４、コンポジット出力端子２５を備える。本実施例の再生装置は、ＤＶＤプレーヤの他に、ＤＶＤレコーダやＨＤレコーダ等であってもよい。
【００１６】
スピンドルモータ２に固定されたターンテーブル１は、ＤＶＤ等の記録媒体を装着する。図示しない操作部から再生開始の指示が入力されると、サーボ制御部３は、スピンドルモータ２を所定の線速度で回転駆動させる。また、サーボ制御部３は、光ピックアップ４からのレーザ光がＤＶＤのピット列に正しく追随し、ピット上に合焦するように、図示しないトラッキングサーボ回路とフォーカスサーボ回路を制御する。光ピックアップ４が読み取った信号は、再生アンプ５により波形整形及び増幅され信号分離部６に入力される。信号分離部６は、再生アンプ５から入力された信号をデジタルオーディオ信号とデジタルビデオ信号に分離する。
【００１７】
オーディオ信号処理部７は、信号分離部６により分離されたデジタルオーディオ信号をデコードする。また、オーディオ信号処理部７は、デコードしたデジタルオーディオ信号を各チャンネルのデジタルオーディオ信号に分離する。オーディオ信号処理部７によりデコードされたデジタルオーディオ信号は、デジタル出力部８に入力される。各チャンネルに分離されたデジタルオーディオ信号は、マルチチャンネル出力部９及び２チャンネル出力部１０に入力される。
【００１８】
デジタル出力部８は、デジタルインターフェースであり、オーディオ信号処理部７から入力したデジタルオーディオ信号をデジタル出力端子２１から出力する。デジタル出力端子２１から出力されるデジタルオーディオ信号は、ＡＶ（Audio Visual）アンプやディスプレイに備えられたデジタル入力端子に入力される。マルチチャンネル出力部９は、オーディオ信号処理部７から入力したマルチチャンネル（例えば５．１チャンネル）のデジタルオーディオ信号をアナログ信号に変換し、変換したマルチチャンネルのアナログオーディオ信号をオーディオ切替部１１に入力する。２チャンネル出力部１０は、オーディオ信号処理部７から入力したマルチチャンネルのデジタルオーディオ信号を２チャンネルのデジタルオーディオ信号にダウンミックスするとともに、２チャンネルのデジタルオーディオ信号をアナログ信号に変換し、変換した２チャンネルのアナログオーディオ信号をオーディオ切替部１１に入力する。
【００１９】
オーディオ切替部１１は、制御部１８の制御により、アナログ出力端子２２から出力する信号を、マルチチャンネルまたは２チャンネルのアナログオーディオ信号のいずれか一方に切替える。アナログ出力端子２２から出力されるアナログオーディオ信号は、ＡＶアンプやディスプレイに備えられたアナログ入力端子に入力される。
【００２０】
ビデオ信号処理部１２は、MPEG（Moving Picture Experts Group）方式の伸長プロトコルにより信号分離部６から入力されたデジタルビデオ信号をデコードする。ビデオ信号処理部１２によりデコードされたデジタルビデオ信号は、変換部１３およびインターレース出力部１４に入力される。ビデオ信号処理部１２によりデコードされたデジタルビデオ信号は、インターレース方式のビデオ信号となる。
【００２１】
変換部１３は、ビデオ信号処理部１２から入力したインターレース方式のデジタルビデオ信号をプログレッシブ方式のデジタルビデオ信号に変換する。変換されたプログレッシブ方式のデジタルビデオ信号は、デジタル出力部１５およびプログレッシブ出力部１６に入力される。インターレース出力部１４は、ビデオ信号処理部１２から入力したインターレース方式のデジタルビデオ信号をアナログ信号に変換する。変換されたインターレース方式のアナログビデオ信号は、ビデオ切替部１７およびコンポジット出力端子２５に入力される。コンポジット出力端子２５は、インターレース出力部１４から出力されたインターレース方式のアナログビデオ信号をコンポジットビデオ信号としてディスプレイに備えられたコンポジット入力端子に出力する。
【００２２】
デジタル出力部１５は、例えばＨＤＭＩ（High Definition Multimedia Interface）インターフェースであり、変換部１３から入力したプログレッシブ方式のデジタルビデオ信号をデジタル出力端子２３から出力する。デジタル出力端子２３は、例えばＨＤＭＩ出力端子であり、デジタル出力部１５から入力されたプログレッシブ方式のデジタルビデオ信号をディスプレイに備えられたデジタル入力端子に出力する。プログレッシブ出力部１６は、変換部１３から入力したプログレッシブ方式のデジタルビデオ信号をアナログ信号に変換する。変換されたプログレッシブ方式のアナログビデオ信号は、ビデオ切替部１７に入力される。
【００２３】
ビデオ切替部１７は、制御部１８の制御により、コンポーネント出力端子２４から出力するアナログビデオ信号をインターレース方式またはプログレッシブ方式に切替える。コンポーネント出力端子２４は、輝度信号と色差信号を出力する出力端子を備え、ビデオ切替部１７から出力されたアナログビデオ信号をコンポーネントビデオ信号としてディスプレイに備えられたコンポーネント入力端子に出力する。
【００２４】
制御部１８は、本実施例の再生装置を統括的に制御する。取得部１９は、図示しない親機から本実施例の再生装置が設置された場所を示す設置情報を取得する。取得部１９は、無線ＬＡＮの通信方式のアドホックモードのように、アクセスポイントを介さずに親機と直接通信を行い設置情報を取得する。記憶部２０は、本実施例の再生装置が設置された場所に応じたビデオ信号の出力設定を示すビデオ出力設定情報およびオーディオ信号の出力設定を示すオーディオ出力設定情報を記憶している。
【００２５】
図２は、本実施例の再生システムの構成を説明する図である。図２に示すリビングルームには、本実施例の再生装置である再生装置１０１が設置されている。ホームシアタールームには再生装置１０２及び親機２０１が設置され、子供部屋には再生装置１０３が設置されている。図２に示すように、本実施例の再生システムは、再生装置１０１、再生装置１０２、再生装置１０３および親機２０１から構成される。親機２０１は、無線ＬＡＮの通信方式のアドホックモードを備えたＡＶアンプであり、同一ネットワーク上に接続されている機器を認識することができる。本実施例において、親機２０１は、同一ネットワーク上に接続されている機器として、再生装置１０１、再生装置１０２及び再生装置１０３を認識する。
【００２６】
親機２０１は、認識した再生装置１０１、再生装置１０２および再生装置１０３に対して、それぞれの装置が設置された場所を指定する指定部（図示せず）を備える。ユーザは、親機２０１に備えられた指定部を操作して、再生装置１０１、再生装置１０２および再生装置１０３が設置された場所として、リビングルーム、ホームシアタールーム、子供部屋などの家庭内の部屋のタイプを指定する。親機２０１は、リビングルームが指定されると設置情報として「０１」を設定し、ホームシアタールームが指定されると設置情報として「０２」を設定し、子供部屋が指定されると設置情報として「０３」を設定する。
【００２７】
再生装置１０１が設置されたリビングルームでは、一般的に比較的大きな画面を有するプログレッシブ方式のテレビが設置されることが多い。そして、当該テレビは、ＤＶＤレコーダ等の再生装置１０１から入力されたビデオ信号を再生し、再生装置１０１から入力されたオーディオ信号を内蔵した左右のスピーカから出力するように、再生装置１０１と接続されている。
【００２８】
そこで、本実施例において、リビングルームに設置された再生装置１０１のビデオ信号の出力手段をプログレッシブ方式に設定し、アスペクト比を「１６：９」に設定する。そして、再生装置１０１のオーディオ信号の出力手段を２チャンネルの出力手段に設定する。また、オーディオ信号の出力タイミングをプログレッシブ方式のビデオ信号の出力タイミングに合わせる設定やビデオ信号のデジタル出力をオフにする設定にする。
【００２９】
次に、再生装置１０２および親機２０１が設置されたホームシアタールームでは、一般的に、ＨＤレコーダ等の再生装置１０２、プロジェクター、スクリーン、親機２０１となるＡＶアンプ及びマルチチャンネルのスピーカシステムが設置される。再生装置１０２は、プロジェクターに再生したビデオ信号をプロジェクターに出力する。プロジェクターは、入力されたビデオ信号をスクリーンに投影する。また、再生装置１０２は、ＡＶアンプに再生したオーディオ信号をＡＶアンプに出力する。ＡＶアンプは、入力されたオーディオ信号をチャンネル毎にマルチチャンネルのスピーカシステムに出力する。
【００３０】
そこで、本実施例において、ホームシアタールームに設置された再生装置１０２のビデオ信号の出力手段をデジタル出力手段に設定し、アスペクト比を「１６：９」に設定する。これは、ＨＤレコーダやプロジェクターには、ＨＤＭＩインターフェースを搭載したものが普及しているからである。そして、再生装置１０２のオーディオ信号の出力手段をマルチチャンネル出力手段に設定する。
【００３１】
また、再生装置１０３が設置された子供部屋では、一般的に比較的小さな画面を有するテレビが設置されることが多い。そして、当該テレビは、ＤＶＤプレーヤ等の再生装置１０３から入力されたビデオ信号を再生し、再生装置１０３から入力されたオーディオ信号を内蔵した左右のスピーカから出力するように、再生装置１０３と接続されている。
【００３２】
そこで、本実施例において、子供部屋に設置された再生装置１０３のビデオ信号の出力手段をインターレース方式に設定し、アスペクト比を「４：３」に設定する。そして、再生装置１０３のオーディオ信号の出力手段を２チャンネルの出力手段に設定する。また、ペアレンタルレベル（視聴制限）を例えばＰＧ‐１３に設定する。
【００３３】
本実施例の再生装置が設定された場所に応じたビデオ信号およびオーディオ信号の出力手段の設定情報は、記憶部２０に予め記憶されている。図３は、記憶部２０に記憶された本実施例の再生装置が設置された場所に応じたビデオ信号及びオーディオ信号の出力設定情報等の設定情報を示す。
【００３４】
上述した図２に示す本実施例の再生システムにおいて、各部屋に設置された再生装置のビデオ信号およびオーディオ信号の出力設定について説明する。親機２０１が同一ネットワーク上に接続される再生装置１０１、再生装置１０２及び再生装置１０３を認識した後、ユーザは、親機２０１に備えられた指定部から、再生装置１０１、再生装置１０２および再生装置１０３が設置された部屋のタイプを指定する。再生装置１０１、再生装置１０２および再生装置１０３が設置された部屋のタイプが指定されると、親機２０１は、再生装置１０１、再生装置１０２および再生装置１０３のそれぞれに設定された設置情報を送信部から無線ＬＡＮ通信により送信する。
【００３５】
リビングルームに設置された再生装置１０１は、親機２０１から無線ＬＡＮ通信により送信された設置情報「０１」を取得する。取得部１９が取得した設置情報「０１」は、制御部１８に入力される。制御部１８は、図３に示す設置情報「０１」に応じた「プログレッシブ方式」、「１６：９」、「２チャンネル」等の設定情報を記憶部２０から読み出す。制御部１８は、記憶部２０から読み出したビデオ出力設定情報およびオーディオ出力設定情報等にしたがって、オーディオ信号処理部７、オーディオ切替部１１、ビデオ信号処理部１２、ビデオ切替部１７を制御する。
【００３６】
ホームシアタールームに設置された再生装置１０２は、親機２０１から無線ＬＡＮ通信により送信された設置情報「０２」を取得する。取得部１９が取得した設置情報「０２」は、制御部１８に入力される。制御部１８は、図３に示す設置情報「０２」に応じた「デジタル出力」、「１６：９」、「マルチチャンネル」等の設定情報を記憶部２０から読み出す。制御部１８は、記憶部２０から読み出したビデオ出力設定情報およびオーディオ出力設定情報等にしたがって、オーディオ信号処理部７、オーディオ切替部１１、ビデオ信号処理部１２、ビデオ切替部１７を制御する。
【００３７】
子供部屋に設置された再生装置１０３は、親機２０１から無線ＬＡＮ通信により送信された設置情報「０３」を取得する。取得部１９が取得した設置情報「０３」は、制御部１８に入力される。制御部１８は、図３に示す設置情報「０３」に応じた「インターレース方式」、「４：３」、「２チャンネル」等の設定情報を記憶部２０から読み出す。制御部１８は、記憶部２０から読み出したビデオ出力設定情報およびオーディオ出力設定情報等にしたがって、オーディオ信号処理部７、オーディオ切替部１１、ビデオ信号処理部１２、ビデオ切替部１７を制御する。
【００３８】
上述したように、本実施例の再生装置は、親機から無線ＬＡＮ通信により送信された設置情報を取得する。そして、取得した設置情報に応じて最適な視聴環境になるように設定する。したがって、本実施例の再生装置は、親機から設置情報を取得するだけで、最適な視聴環境になる設定を容易にすることができる。また、本実施例の再生装置は、設置する部屋が変更しても、親機から無線ＬＡＮ通信により設置情報を取得することができ、最適な視聴環境になる設定を容易にすることができる。このため、ユーザは、従来の再生装置のように多数の設定項目を設定する必要がない。
【図面の簡単な説明】
【００３９】
【図１】本発明の実施例である再生装置の構成を示すブロック図。
【図２】本発明の実施例である再生システムの構成を説明する図。
【図３】記憶部に記憶されたビデオ信号およびオーディオ信号の出力設定情報等の設定情報を示す図。
【符号の説明】
【００４０】
１…ターンテーブル、２…スピンドルモータ、３…サーボ制御部、４…光ピックアップ、５…再生アンプ、６…信号分離部、７…オーディオ信号処理部、８…デジタル出力部、９…マルチチャンネル出力部、１０…２チャンネル出力部、１１…オーディオ切替部、１２…ビデオ信号処理部、１３…変換部、１４…インターレース出力部、１５…デジタル出力部、１６…プログレッシブ出力部、１７…ビデオ切替部、１８…制御部、１９…取得部、２０…記憶部、２１…デジタル出力端子、２２…アナログ出力端子、２３…デジタル出力端子、２４…コンポーネント出力端子、２５…コンポジット出力端子
【図１】
2008299921.tif 000003
【図２】
2008299921.tif 000004
【図３】
2008299921.tif 000005